(57)【特許請求の範囲】
【請求項１】
両者間に連続的な間隙が存在する２本のコンベヤベルトのなす逆ハ字状又は逆ヘ字状の搬送面を有して廃ガラスびんを長手方向が搬送方向となるように搬送する水平なベルトコンベヤの上方に配置され、、搬送方向と直交する方向へ下方に凸のゆるやかな曲線に沿って又はほぼ水平に往復移動し、かつ、廃ガラスびんをベルトコンベヤの他側方及び／又は一側方へ払い出す払い出し子を平板状のブラシとしたことを特徴とする廃ガラスびんの払い出し装置。
【請求項２】
前記ブラシが複数の束状にした可撓性のスチールワイヤからなることを特徴とする請求項１記載の廃ガラスびんの払い出し装置。
【発明の詳細な説明】
【０００１】
【発明の属する技術分野】
本発明は、廃ガラスびん（破片を含む）を再生資源等として利用するため、廃ガラスびんを１本ずつ色によって選別するに際し、色検出されたベルトコンベヤ上の廃ガラスびんをベルトコンベヤ側方の色別のシュートに払い出す廃ガラスびんの払い出し装置に関する。
【０００２】
【従来の技術】
従来、この種の廃ガラスびんの払い出し装置としては、１本のコンベヤベルトのなすほぼ水平な逆ハ字状又は逆ヘ字状の搬送面を有して廃ガラスびんを長手方向が搬送方向となるように搬送する水平なベルトコンベヤの上方に配置され、搬送方向と直交する方向へ下方に凸のゆるやかな曲線に沿って又はほぼ水平に往復移動し、かつ、廃ガラスびんをベルトコンベヤの他側方及び／又は一側方へ払い出す、ゴム板に覆われた鋼板製の払い出し子を有するものが知られている（特開平８−２２９５１６号公報、特開平１１−１２４２２７号公報参照）。
【０００３】
【発明が解決しようとする課題】
しかし、従来の廃ガラスびんの払い出し装置では、例えば、図５に示すように、廃ガラスびんＷを長手方向が搬送方向となるように搬送するベルトコンベヤ３１として、両者間に連続的な間隙が存在する２本のコンベヤベルト３１ａの搬送面が比較的浅い逆ハ字状をなすようにしたものを用いると共に、廃ガラスびんＷをベルトコンベヤ３１の他側方及び／又は一側方へ払い出す払い出し子３２として、ベルトコンベヤ３１の上方において搬送方向と直交する方向へ下方に凸のゆるやかな曲線に沿って往復移動するものを用いる場合、図６に示すように、廃ガラスびんＷがコンベヤベルト３１ａと払い出し子３２のゴム板との間に挟まり、ベルトコンベヤ３１が停止したり又はコンベヤベルト３１ａが捲れたり、あるいは、図７に示すように、払い出し子３２が折れる等が発生し、廃ガラスびんの払い出しが円滑に行われない不具合がある。
【０００４】
かかる不具合は、ベルトコンベヤとして、上述したように、搬送面が比較的浅い逆ハ字状をなすようにしたものを用いる一方、払い出し子として、ベルトコンベヤの上方において搬送方向と直交する方向へほぼ水平に往復移動するものを用いる場合にも生じる。
特に、上述した不具合は、ベルトコンベヤによって搬送される廃ガラスびんに廃ガラスびんの破片が混在する場合に顕著となる。
図５〜図７において３１ｂはベルトコンベヤ３１のベルトプーリである。
【０００５】
そこで、本発明は、ベルトコンベヤ及び払い出し子への過負荷を防止して、廃ガラスびんの払い出しを円滑になし得る廃ガラスびんの払い出し装置を提供することを目的とする。
【０００６】
【課題を解決するための手段】
前記課題を解決するため、本発明の廃ガラスびんの払い出し装置は、両者間に連続的な間隙が存在する２本のコンベヤベルトのなす逆ハ字状又は逆ヘ字状の搬送面を有して廃ガラスびんを長手方向が搬送方向となるように搬送する水平なベルトコンベヤの上方に配置され、搬送方向と直交する方向へ下方に凸のゆるやかな曲線に沿って又はほぼ水平に往復移動し、かつ、廃ガラスびんをベルトコンベヤの他側方及び／又は一側方へ払い出す払い出し子を平板状のブラシとしたことを特徴とする。
前記ブラシは、複数の束状にした可撓性のスチールワイヤからなることが好ましい。
【０００７】
【作用】
本発明の廃ガラスびんの払い出し装置においては、廃ガラスびん（破片を含む）の払い出し時にブラシにある程度の負荷が発生すると、ブラシが撓む。
【０００８】
【発明の実施の形態】
以下、本発明の実施の形態について図面を参照して説明する。
図１、図２は、本発明に係る廃ガラスびんの払い出し装置の実施の形態の一例を示す概略正面図、図１の装置の要部の側面図である。
図中１は廃ガラスびんＷを長手方向（図１においては紙面と垂直な方向）が搬送方向となるように搬送する水平なベルトコンベヤで、このベルトコンベヤ１は、両者間に連続的な間隙が存在する２本のコンベヤベルト１ａの搬送面が比較的浅い逆ハ字状をなすように設けられており、各コンベヤベルト１ａは、それぞれベルトプーリ１ｂに掛け回わされているものである。
【０００９】
ベルトコンベヤ１の上方には、その搬送方向と直交する方向（図１においては左右方向）へ下方に凸のゆるやかな曲線に沿って往復移動し、廃ガラスびんＷをベルトコンベヤの他側方（図１においては左側方）及び一側方向（図１においては右側方）へ交互に払い出す払い出し子としての平板状のブラシ２が配置されている。
ブラシ２は、払い出し装置の一部を構成するもので、ベルトコンベヤ１の搬送方向及び上下方向へ延在する方形平板状を呈し、後述する駆動機構を介してベルトコンベア１の搬送方向と直交する方向へ下方に凸のゆるやかな曲線に沿って往復移動するブラシ台２ａと、複数の束として結束され、ブラシ台２ａの両側面に平板状をなして垂設したピアノ線の如き可撓性のスチールワイヤ２ｂとから構成されている。
そして、ブラシ２は、図示は省略するが、ベルトコンベヤ１の中央上方に搬送方向と平行な水平をなし、ブラシ台２ａの上端部を支持する支軸と、この支軸を中心としてブラシ台２ａを揺動するシリンダとからなる駆動機構を介して往復駆動されるものである。
【００１０】
上記構成の廃ガラスびんの払出し装置において、払い出し子としてのブラシ２の往動（図１においては左方への移動）による廃ガラスびんＷのベルトコンベヤ１の他側方への払い出しに際し、ブラシ２のスチールワイヤ２ｂは、図１に示すように、廃ガラスびんＷに衝接した後、廃ガラスびんＷの重量による負荷が発生すると、図３、図４に示すように、撓んだ状態となって廃ガラスびんＷの払い出しを行う。
したがって、従来のように廃ガラスびんＷがコンベヤベルト１ａとブラシ２との間に挟まり、ベルトコンベヤ１が停止したり又はコンベヤベルト１ａが捲れたり、あるいは払い出し子としてのブラシ２が折れるというようなことは発生せず、廃ガラスびんＷの払い出しを円滑に行うことができる。
一方、ブラシ２の復動（図１においては右方への移動）による廃ガラスびんＷのベルトコンベヤ１の一側方への払い出しに際しも同様に行われる。
又、廃ガラスびんの破片の払い出しに際しても同様に行われる。
【００１１】
なお、払い出し子としてのブラシをベルトコンベヤの搬送方向と直交する方向へ下方に凸のゆるやかな曲線に沿って往復移動する場合に限らず、ブラシを搬送方向と直交する方向へほぼ水平に往復移動するようにしてもよい。
又、ブラシによる廃ガラスびんの払い出しは、ベルトコンベヤの他側方と一側方の両側方へ交互に行う場合に限らず、ベルトコンベヤの他側方又は一側方のみに行うようにしてもよい。
更に、ブラシは、方形平板状のブラシ台と、その両側面に平板状をなして垂設したスチールワイヤとから構成する場合に限らず、ブラシ台の一側面のみにスチールワイヤを平板状をなして垂設してもよい。加えて、スチールワイヤを用いるのが最も好ましいが、スチールワイヤに代えて可撓性のプラスチック線、その他を用いてもよい。
【００１２】
【発明の効果】
以上説明したように、本発明の廃ガラスびんの払い出し装置によれば、廃ガラスびん（破片を含む）の払い出し時にブラシにある程度の負荷が発生すると、ブラシが撓むので、ベルトコンベヤ及び払い出し子に過負荷がかかることがなく、従来のように廃ガラスびんがコンベヤベルトとブラシとの間に挟まって、コンベヤベルトの停止や捲れ又は払い出し子としてのブラシの破損が発生することはなく、廃ガラスびんの払い出しを極めて円滑に行うことができる。
又、払い出し時における廃ガラスびんへの負荷（衝撃）が緩和されることから、生びん（廃ガラスびんをカレットとすることなくそのまま再利用すること）選別に利用することができる。
【図面の簡単な説明】
【図１】本発明に係る廃ガラスびんの払い出し装置の実施の形態の一例を示す概略正面図である。
【図２】図１の装置の要部の側面図である。
【図３】図１の装置の往動工程の中期段階の作用を示す概略正面図である。
【図４】図１の装置の往動工程の後期段階の作用を示す概略正面図である。
【図５】従来の廃ガラスびんの払い出し装置を示す概略正面図である。
【図６】図５の装置による不具合の一例を示す概略正面図である。
【図７】図５の装置による不具合の他の例を示す概略正面図である。要部の側面図である。
【符号の説明】
１  ベルトコンベヤ置
１ａ  コンベヤベルト
２  ブラシ
２ａ  ブラシ台
２ｂ  スチールワイヤ
Ｗ  廃ガラスびん
【図１】
0003548960.tif 000002
【図２】
0003548960.tif 000003
【図３】
0003548960.tif 000004
【図４】
0003548960.tif 000005
【図５】
0003548960.tif 000006
【図６】
0003548960.tif 000007
【図７】
0003548960.tif 000008